(57)【要約】【課題】  印刷設定として設定されている印刷媒体のサイズと、印刷媒体のサイズをセンサが検出することにより得られたサイズが異なる場合に適切な制御を行うことができる印刷制御装置、印刷制御方法、およびプログラムを提供する。【解決手段】  印刷対象のデータに対する印刷設定として設定されている印刷媒体のサイズと、印刷媒体のサイズをセンサが検出することにより得られた当該印刷媒体のサイズが異なる場合に当該印刷対象のデータの印刷を許容するか、所定の条件に従って判定する。  前記印刷を許容すると判定された場合、前記印刷設定として設定されている前記サイズに対応する大きさの、前記印刷対象のデータに基づく画像を印刷手段に印刷させる。前記印刷を許容すると判定されなかった場合、前記センサによりサイズが検出された前記印刷媒体に対して当該印刷対象のデータに基づく画像が印刷されないように制御する。【選択図】  図６
2015009483.tif 000002
【特許請求の範囲】
【請求項１】
印刷媒体のサイズをセンサが検出することにより得られた当該印刷媒体のサイズの候補を取得する取得手段と、
印刷対象のデータに対する印刷設定として設定されている印刷媒体のサイズと前記取得手段により取得される候補に対応するサイズが異なる場合に当該印刷対象のデータの印刷を許容するか、所定の条件に従って判定する判定手段と、
前記判定手段により前記印刷を許容すると判定された場合、前記印刷設定として設定されている前記サイズに対応する大きさの、前記印刷対象のデータに基づく画像を印刷手段に印刷させ、前記判定手段により前記印刷を許容すると判定されなかった場合、前記センサによりサイズが検出された前記印刷媒体に対して当該印刷対象のデータに基づく画像が印刷されないように制御する印刷制御手段と、
を有することを特徴とする印刷制御装置。
【請求項２】
前記印刷制御手段は、前記判定手段により前記印刷を許容すると判定され、且つ前記印刷設定に設定されている前記サイズが前記取得手段により取得された候補に含まれている場合に、前記サイズに対応する大きさの画像を前記印刷手段に印刷させることを特徴とする請求項１に記載の印刷制御装置。
【請求項３】
前記判定手段は、前記取得手段により複数の候補が取得され且つ前記印刷設定に設定されている前記サイズが当該複数の候補に含まれている場合に、前記判定を実行することを特徴とする請求項２に記載の印刷制御装置。
【請求項４】
前記印刷制御手段は、前記取得手段により取得された候補が１つの場合に、当該１つの候補に対応するサイズの画像を印刷させることを特徴とする請求項３に記載の印刷制御装置。
【請求項５】
前記取得手段は、前記判定手段により前記印刷を許容すると判定されなかった場合に前記候補を取得し、前記印刷制御手段は、前記判定手段により前記印刷を許容すると判定された場合、前記取得手段による候補の取得に関わらず、前記印刷設定に設定されている前記サイズに対応する大きさの画像を前記印刷手段に印刷させることを特徴とする請求項１に記載の印刷制御装置。
【請求項６】
前記判定手段は、印刷対象のデータの種類が所定の種類であることを前記所定の条件として、前記判定を行うことを特徴とする請求項１乃至５のいずれか１項に記載の印刷制御装置。
【請求項７】
前記判定手段は、前記印刷設定において設定されている前記サイズが所定のサイズであることを前記所定の条件として、前記判定を行うことを特徴とする請求項１乃至６のいずれか１項に記載の印刷制御装置。
【請求項８】
前記判定手段は、前記印刷設定において設定されている前記サイズが所定のサイズであることを前記所定の条件として、前記判定を行うことを特徴とする請求項１乃至７のいずれか１項に記載の印刷制御装置。
【請求項９】
前記印刷媒体に対して前記画像が印刷されないように前記印刷制御装置により制御が行われる場合、当該制御の実行をユーザに通知する通知手段を有することを特徴とする請求項１乃至８のいずれか１項に記載の印刷制御装置。
【請求項１０】
前記印刷手段は、印刷媒体を印刷ヘッドに対応する位置に搬送して当該搬送された印刷媒体に対して印刷ヘッドにより印刷を実行し、前記センサは当該印刷ヘッドに対応する位置に設けられ、印刷媒体が搬送されたときに当該印刷媒体のサイズを検出することを特徴とする請求項１乃至９のいずれか１項に記載の印刷制御装置。
【請求項１１】
前記センサは印刷媒体の幅を検出し、前記取得手段は、当該検出された当該印刷媒体の幅に基づく当該印刷媒体のサイズの候補を取得することを特徴とする請求項１乃至１０のいずれか１項に記載の印刷制御装置。
【請求項１２】
印刷媒体のサイズをセンサが検出することにより得られた当該印刷媒体のサイズの候補を取得する取得工程と、
印刷対象のデータに対する印刷設定として設定されている印刷媒体のサイズと前記取得工程において取得される候補に対応するサイズが異なる場合に当該印刷対象のデータの印刷を許容するか、所定の条件に従って判定する判定工程と、
前記判定工程において前記印刷を許容すると判定された場合、前記印刷設定として設定されている前記サイズに対応する大きさの、前記印刷対象のデータに基づく画像を印刷手段に印刷させ、前記判定工程において前記印刷を許容すると判定されなかった場合、前記センサによりサイズが検出された前記印刷媒体に対して当該印刷対象のデータに基づく画像が印刷されないように制御する印刷制御工程と、
を有することを特徴とする印刷制御方法。
【請求項１３】
請求項１２に記載の印刷制御方法をコンピュータに実行させるためのプログラム。
【発明の詳細な説明】
【技術分野】
【０００１】
本発明は、印刷対象のデータに基づく画像を印刷させる印刷制御装置、印刷制御方法、およびプログラムに関する。
【背景技術】
【０００２】
印刷装置において印刷が実行されるときに、印刷装置において使用される印刷用紙の幅を印刷装置が備える紙幅センサが検出し、紙幅センサにより検出された用紙の幅に合わせて印刷対象の画像を変倍する技術がある。
【０００３】
ユーザによる用紙サイズ選択操作を不要とする技術として、特許文献１では、センサにより印刷用紙の紙幅を検出し、検出された用紙幅に合わせて印刷データを変倍して印刷する技術が開示されている。
【先行技術文献】
【特許文献】
【０００４】
【特許文献１】特開平１１−１５５０４３号公報
【発明の概要】
【発明が解決しようとする課題】
【０００５】
しかしながら特許文献１に記載の方法では、センサで読み取った紙幅情報を基準に印刷対象の画像が変倍されてしまう。そのため、本来印刷を行うべき印刷用紙のサイズとは大きく異なるサイズの印刷用紙が印刷装置にセットされていた場合に、適切な印刷が行えない場合がある。
【０００６】
例えば特許文献１に記載の方法では、仮に印刷対象のデータに対する印刷設定として印刷用紙のサイズが設定されていたとしても、どのようなサイズが設定されているかに関わらず、センサによる用紙幅の検出結果に応じて画像が変倍されてしまう。よって、印刷設定として設定されていたサイズとは大きく異なるサイズの印刷用紙が印刷装置にセットされていた場合に、適切でない大きさの画像が印刷されてしまうことがある。
【０００７】
本発明は上記の問題点を解決するためになされたものである。即ち、印刷設定として設定されている印刷媒体のサイズと、印刷媒体のサイズをセンサが検出することにより得られたサイズが異なる場合に適切な制御を行うことができる印刷制御装置、印刷制御方法、およびプログラムを提供することを目的とする。
【課題を解決するための手段】
【０００８】
上記問題点を解決するために本発明の印刷制御装置は、印刷媒体のサイズをセンサが検出することにより得られた当該印刷媒体のサイズの候補を取得する取得手段と、印刷対象のデータに対する印刷設定として設定されている印刷媒体のサイズと前記取得手段により取得される候補に対応するサイズが異なる場合に当該印刷対象のデータの印刷を許容するか、所定の条件に従って判定する判定手段と、前記判定手段により前記印刷を許容すると判定された場合、前記印刷設定として設定されている前記サイズに対応する大きさの、前記印刷対象のデータに基づく画像を印刷手段に印刷させ、前記判定手段により前記印刷を許容すると判定されなかった場合、前記センサによりサイズが検出された前記印刷媒体に対して当該印刷対象のデータに基づく画像が印刷されないように制御する印刷制御手段と、を有することを特徴とする。
【発明の効果】
【０００９】
本発明によれば、印刷対象のデータに対する印刷設定として設定されている印刷媒体のサイズと、印刷媒体のサイズをセンサが検出することにより得られたサイズが異なる場合に当該印刷対象のデータの印刷を許容するか、所定の条件に従って判定される。そのため、上記２つのサイズが異なる場合に適切な制御を行うことができる。
【図面の簡単な説明】
【００１０】
【図１】印刷装置１００が備える印刷機構を示す図である。
【図２】用紙センサ１１８による用紙幅の検出を説明するための図である。
【図３】印刷装置１００の構成を示すブロック図である。
【図４】本実施形態における用紙サイズテーブルを示す図である。
【図５】ＣＰＵ２０１による印刷制御処理の一例を示すフローチャートである。
【図６】フィッティング処理の内容を示すフローチャートである。
【図７】図６のＳ１２０５の処理の詳細を示す図である。
【図８】コピー機能における印刷制御処理の一例を示すフローチャートである。
【発明を実施するための形態】
【００１１】
以下、本発明の実施形態の一例について詳細に説明する。
【００１２】
図１は、本実施形態における印刷装置１００が備える印刷機構を示す図である。給紙トレイ１０１には印刷用紙が格納されている。給紙ローラ１０３は、給紙トレイ１０１に格納されている印刷用紙を搬送ローラ１０５、１０６に給紙する。印刷用紙１０４は、給紙ローラ１０３により給紙され、搬送ローラ１０５、１０６により搬送されている印刷用紙である。図１のように、印刷用紙１０４は、搬送ローラ１０５、１０６により部材１０７、１０８による搬送路を通り、搬送ローラ１０９、１１０へ搬送される。搬送ローラ１０９、１１０は、印刷用紙１０４をプラテン１１１に搬送する。
【００１３】
またプラテン１１１の上部には印刷ヘッド１１２を搭載したキャリッジ１１３が設けられている。キャリッジ１１３は、ガイドレール１１４に沿って図１に示すＡ方向（図１中手前から奥に向かう方向）、Ｂ方向（図１中奥から手前に向かう方向）に往復走査する。印刷装置１００は、キャリッジ１１３をＡ方向、Ｂ方向に走査させながら、印刷ヘッド１１２に駆動パルスを印加することにより印刷ヘッド１１２からインク等の記録剤を吐出させる。このように印刷ヘッド１１２から印刷用紙１０４に記録剤が吐出されることで、印刷用紙１０４に印刷対象の画像が印刷される。画像が印刷された印刷用紙１０４はさらに搬送ローラ１０９、１１０により、排紙ローラ１１５、１１６に搬送される。排紙ローラ１１５、１１６は印刷用紙１０４を、排紙トレイ１１７に排紙する。
【００１４】
またキャリッジ１１３には、反射型の光学センサである用紙センサ１１８が設けられている。印刷装置１００は、この用紙センサ１１８が受光した光の強さを示す出力レベル（出力電圧）を取得し、その出力レベルが印刷用紙からの反射光に対応するレベルであるか判定することにより、当該受光された位置に印刷用紙が存在するか検出することができる。また上記のように、用紙センサ１１８はキャリッジ１１３に設けられており、印刷ヘッド１１２とともに走査される。そして印刷装置１００は、用紙センサ１１８の走査が行われる範囲について印刷用紙１０４が存在するか検出することで、当該走査の範囲における印刷用紙の端部を判定することができる。そして当該印刷用紙の左右の端部間の距離に基づいて、当該印刷用紙の幅を検出することができる。この検出処理の詳細について図２を用いて説明する。用紙センサ１１８（キャリッジ１１３）の走査位置は後述するエンコーダ２２４によって検出される。
【００１５】
印刷装置１００は、上記の給紙トレイ１０１、プラテン１１１、印刷ヘッド１１２、キャリッジ１１３、ガイドレール１１４、排紙トレイ１１７、また上記の各種のローラを印刷機構として備える。
【００１６】
図２は、用紙センサ１１８による用紙幅の検出を説明するための図である。
【００１７】
上記のように、印刷装置１００はキャリッジ１１３をガイドレール１１４に沿って矢印Ａ方向、Ｂ方向に往復移動させながら印刷ヘッド１１２に記録剤を吐出させることにより、印刷用紙１０４上に画像を印刷する。またキャリッジ１１３の移動範囲（用紙センサの位置ｘ）においてプラテン１１１から外れた位置には、印刷ヘッド１１２のキャッピングを行うためにヘッド回復機構１１９が設けられている。用紙センサの位置ｘは、後述するエンコーダ２２４により検出されたキャリッジ１１３の位置により特定される。
【００１８】
また用紙センサ１１８はプラテン１１１上を走査しながら光を受光し、受光された光の出力レベルを検出する。図２に示すグラフは、キャリッジ１１３の移動範囲において用紙センサ１１８が検出した出力レベルを示す。なお本実施形態においては、印刷用紙は白色等の明るい色であり、プラテン１１１は黒色等の暗い色である。よって印刷用紙がプラテン１１１に存在する位置については高い出力レベル（印刷用紙からの強い反射光）が取得され、印刷用紙が存在しない位置については低い出力レベル（プラテン１１１からの弱い反射光）が検出される。
【００１９】
用紙センサ１１８は、キャリッジ１１３がヘッド回復機構１１９の位置にいるときにプラテン１１１における位置Ｅの反射光を受光する。そして、キャリッジ１１３がＡ方向に向かって移動すると、印刷用紙１０４の端部に対応する位置で出力レベルが上がる。そして、印刷用紙１０４の端部から反対側の端部までは、およそ一定の出力レベルが取得され、端部において出力レベルが下がる。
【００２０】
本実施形態においては、用紙センサ１１８の出力レベルが所定の閾値Ｖｔｈを超える場合に、当該出力レベルが検出された位置に印刷用紙１０４が存在するものと判定する。具体的には、図２における位置Ｇ、位置Ｆが印刷用紙１０４の端の位置であり、位置Ｇ〜位置Ｆまでの範囲を、印刷用紙１０４が存在する範囲とする。そして、位置Ｇ〜位置Ｆの距離を、印刷用紙１０４の用紙幅として検出する。
【００２１】
なお本実施形態において印刷装置１００は、印刷用紙の中心がプラテン１１１の中央位置Ｃとなるように、印刷用紙１０４を中央寄せで搬送する。このとき仮に印刷用紙１０４が大きく、図２において印刷用紙１０４の右端が位置Ｅよりも右側であった場合、印刷用紙１０４の右端の位置を検出できないことがある。
【００２２】
そこで本実施形態において印刷装置１００は、印刷用紙１０４の右端の位置が位置Ｅよりも右にある場合、中央位置Ｃと印刷用紙１０４の左端の位置Ｇとの距離により、印刷用紙１０４の用紙幅を判定する。具体的には、まず位置Ｅにおける出力レベルがＶｔｈを超える場合、印刷用紙１０４の右端の位置が位置Ｅもしくは位置Ｅよりも右側であると判定される。このように判定された場合、中央位置Ｃと位置Ｇの距離を２倍した長さが、印刷用紙１０４の用紙幅として検出される。即ち、印刷装置１００は印刷用紙１０４の中心が中央位置Ｃとなるように印刷用紙１０４を搬送するため、中央位置Ｃと印刷用紙１０４の左端の位置Ｇとの距離が用紙幅の半分の長さとなる。よって印刷装置１００は、中央位置Ｃと位置Ｇとの距離を２倍した長さを用紙幅として検出することができる。なお、キャリッジの走査範囲における中央位置Ｃを示す値が印刷装置１００内のメモリに予め記憶されており、印刷装置１００はこの値を参照することで、中央位置Ｃと位置Ｇとの距離を求めることができる。
【００２３】
なお、上記の閾値Ｖｔｈは固定の値でなくてもよく、例えば位置Ｅにおける出力レベルに応じて閾値を変更する場合であってもよい。また印刷媒体の表面の特性による反射光の強さに応じて閾値Ｖｔｈを決定してもよい。具体的には、印刷に用いられる用紙の種別（普通紙、光沢紙等）に応じて、閾値Ｖｔｈを変更する。さらに、印刷用紙の有無を検出する方法として、上記のように出力レベルが閾値を超えるか判定する方法でなく、位置Ｅにおける出力レベルと他の位置における出力レベルの比較結果から印刷用紙の有無を検出してもよい。例えば、位置Ｅの出力レベルにより位置Ｅにおいて印刷用紙が存在しないと判定した場合に、その出力レベルから所定値以上大きな出力レベルの位置に印刷用紙が存在すると判定してもよい。
【００２４】
また、図２の方法では、キャリッジ１１３に用紙センサ１１８を設け、用紙センサ１１８が移動しながら検出を行う例について説明したが、これに限らない。例えばプラテン１１１上にキャリッジ１１３とは個別に用紙センサが設けられる場合であってもよい。この場合、印刷用紙の搬送路の幅に対応する数の用紙センサを並べて配置し、各用紙センサが印刷用紙の存在を検出したか判定することにより、印刷用紙の幅を判定することができる。
【００２５】
次に、印刷装置１００の構成を説明する。図３は、印刷装置１００の構成を示すブロック図である。
【００２６】
ＣＰＵ２０１は、印刷装置１００を制御するプロセッサである。ＣＰＵ２０１は内部バス２０２を介して、ＲＯＭやハードディスク等のプログラムメモリ２０３とＲＡＭ等のデータメモリ２０４と接続されている。プログラムメモリ２０３には、印刷装置１００を制御するためのプログラムが格納されている。ＣＰＵ２０１は、プログラムメモリ２０３に格納されているプログラムをデータメモリ２０４に読み出し、データメモリ２０４に割り当てられているワークメモリ２０５上で実行することにより、印刷装置１００を制御することができる。またデータメモリ２０４には、画像メモリ２０６も割り当てられており、印刷装置１００において印刷される画像データなどの各種のデータがＣＰＵ２０１により画像メモリ２０６に展開される。
【００２７】
インタフェース制御部２０７は、ＣＰＵ２０１の制御によりインタフェースを介してスマートフォン等のスマートデバイス２０８と通信を行う。例えば、スマートデバイス２０８から印刷対象のジョブを受信し、また印刷装置１００のステータス情報をスマートデバイス２０８へ通知することができる。なお、インタフェース制御部２０７は、ＵＳＢ（Ｕｎｉｖｅｒｓａｌ  Ｓｅｒｉａｌ  Ｂｕｓ）ケーブル等の有線のインタフェースを介して通信を行ってもよいし、または赤外線通信や無線ＬＡＮ等の無線インタフェースを介して通信を行ってもよい。なお、スマートデバイスとは、例えばスマートフォン、タブレットであり、また携帯電話など各種のデバイスを含む。
【００２８】
また通信相手は、スマートデバイス２０８に限らずパーソナルコンピュータであってもよい。その他、ネットワークを介して接続されたサーバであってもよいし、電話回線を介して接続されたファクシミリ装置や、デジタルテレビ等の装置であってもよい。また、印刷ジョブに印刷対象のデータが含まれている場合に限らず、印刷ジョブに含まれているアドレス情報に従って印刷装置１００がサーバ等の外部装置から印刷対象のデータを取得する場合であってもよい。
【００２９】
モータ制御部２０９はＣＰＵ２０１による制御により、印刷装置１００の印刷機構を駆動するための各種モータを制御する。搬送モータ２１０は、モータ制御部２０９の制御に従って、図１で示した給紙ローラ１０３、搬送ローラ１０５、１０６、１０９、１１０、排紙ローラ１１５、１１６を駆動する。キャリッジモータ２１１（ＣＲモータ）は、モータ制御部２０９の制御に従ってキャリッジ１１３を駆動し、キャリッジ１１３を往復移動させる。また回復モータ２１２は、モータ制御部２０９の制御に従ってヘッド回復機構１１９を駆動する。
【００３０】
ヘッド制御部２１３は、ＣＰＵ２０１の制御に従って印刷ヘッド１１２を制御し、印刷ヘッド１１２にインク等の記録剤を吐出させる。ＣＰＵ２０１は印刷ヘッド１１２と搬送モータ２１０を共に駆動させることで、印刷ヘッド１１２を走査させながら印刷用紙に画像を印刷させる。即ち、印刷装置１００内のＣＰＵ２０１が印刷制御装置として動作し、印刷機構としての各種のモータ、印刷ヘッド１１２を制御して、当該印刷機構に画像を印刷させる。
【００３１】
センサ制御部２１４は、ＣＰＵ２０１の制御に従って、用紙センサ１１８に含まれるセンサ光源２１５を発光させ、また用紙センサ１１８が備える光学センサ２１６に反射光を受光させる。またセンサ制御部２１４は、光学センサ２１６が受光した光の強さを示す出力レベルを取得する。ＣＰＵ２０１は、センサ制御部２１４が取得した出力レベルを取得することで、図２で示した用紙幅の判定を行うことができる。なお、ＣＰＵ２０１は後述する処理により、上記のように判定された用紙幅に応じて、用紙長も含めた用紙サイズを判定する。
【００３２】
パネル制御部２１７は、ＣＰＵ２０１の制御に従って、操作パネル２１８を制御する。なお、操作パネル２１８は、キーやタッチパネルなどユーザが操作を行う操作デバイスと、画像等の各種の情報を表示できる表示パネルを含む。例えばユーザが操作パネル２１８の操作デバイスを操作すると、ユーザの指示がパネル制御部２１７に入力され、その指示がさらにＣＰＵ２０１に入力される。またパネル制御部２１７がＣＰＵ２０１の指示に応じて、画像メモリ２０６に展開されている画像を操作パネルの表示パネルに表示する。
【００３３】
スキャナ制御部２１９は、ＣＰＵ２０１の制御に従って、スキャナ２２０を制御し、スキャナ２２０の原稿台に載置されている原稿をスキャナ２２０に読み取らせ、その読取画像を入力する。またスキャナ制御部２１９を画像メモリ２０６に格納する。メモリカード制御部２２１は、ＣＰＵ２０１の制御により、メモリカードスロット２２２に装着されたメモリカード２２３に対して各種のデータの書き込み、読み出しを行う。
【００３４】
エンコーダ２２４は、ガイドレール１１４に沿ってキャリッジ１１３が走査するときのキャリッジ１１３の位置を特定する。ＣＰＵ２０１は、エンコーダ２２４により特定されたキャリッジ１１３の位置と、キャリッジ１１３における用紙センサ１１８の取り付け位置により、図２に示した用紙センサの位置ｘを特定する。
【００３５】
本実施形態においてＣＰＵ２０１は、上記のように用紙センサ１１８により判定された用紙幅に応じて、用紙長も含めた用紙サイズを判定する。なお、本実施形態の印刷装置１００は、用紙センサ１１８が印刷ヘッド１１２とともにキャリッジ１１３に設けられている。そして、キャリッジ１１３を移動させるための各種のモータやガイドレール１１４、キャリッジ１１３の位置を特定するためのエンコーダ２２４等の部材は、印刷ヘッド１１２による印刷と用紙センサ１１８による用紙幅の検出の両方に共通して用いられる。そのため、印刷のための部材とは別に、用紙幅の検出のために上記の部材を設けなくてもよく、印刷装置１００が大型化してしまうことを防ぐことができる。
【００３６】
図４は、本実施形態における用紙サイズテーブルを示す図である。図４（ａ）の用紙サイズ管理テーブルは、印刷装置１００で使用され得る用紙サイズ３００と、当該サイズの用紙幅３０１、用紙長３０２、縦横比（アスペクト比）３０３が含まれている。なお、用紙幅３０１、用紙長３０２の単位はミリメートル（ｍｍ）である。
【００３７】
なお用紙サイズテーブルはプログラムメモリ２０３に格納されており、ＣＰＵ２０１は、プログラムメモリ２０３からデータメモリ２０４に用紙サイズテーブルを読み出すことで用紙サイズテーブルを参照することができる。なお、用紙幅３０１の情報はテーブル形式で保持される場合に限らず、用紙サイズに対応付けて用紙幅３０１を記憶する種々の方法が採用される。
【００３８】
本実施形態においてＣＰＵ２０１は、用紙センサ１１８により検出された用紙幅に応じて印刷用紙のサイズを判定する。具体的には、ＣＰＵ２０１は用紙サイズテーブルにおいて、用紙センサ１１８により検出された用紙幅の所定範囲内にある用紙幅３０１を持つ用紙サイズ３００を、印刷装置１００において搬送されている印刷用紙１０４のサイズとして特定する。このように所定の範囲を設ける理由は、例えば印刷用紙の状態や印刷装置１００が置かれている環境によって印刷用紙からの反射光の強さが異なるために、用紙センサ１１８の検出結果と実際の用紙幅の間に誤差が生じる場合があるからである。
【００３９】
そこで例えば上記所定の範囲を上下３ｍｍとして、用紙センサ１１８により用紙幅として１２６．０ｍｍが検出された場合、１２３．０ｍｍ〜１２９．０ｍｍに含まれる用紙幅３０１に対応する用紙サイズ３００を、印刷用紙のサイズの候補として特定する。図４（ａ）の用紙サイズテーブルに示されているように、この場合、用紙幅３０１（１２７．０ｍｍ）に対応する２Ｌ判が候補として特定される。
【００４０】
またこのように用紙サイズが一意に特定される場合に限らず、用紙幅が近い複数の用紙サイズが、当該印刷媒体のサイズの候補として特定される場合がある。例えば用紙センサ１１８により用紙幅として９９．０ｍｍが検出された場合、用紙幅の範囲９６．０ｍｍ〜１０２．０ｍｍに封筒洋形６号（用紙幅９８．０ｍｍ）、はがき（用紙幅１００．０ｍｍ）、４×６判（用紙幅１０１．６ｍｍ）が含まれる。同様に、用紙幅として２１３．０ｍｍが検出された場合、Ａ４サイズ（用紙幅２１０．０ｍｍ）とレター（用紙幅２１５．９ｍｍ）が用紙サイズの候補として特定される。
【００４１】
本実施形態においては、印刷設定として設定されている印刷媒体のサイズと、用紙センサ１１８による印刷用紙のサイズの１または候補に対応するサイズが異なる場合に当該印刷対象のデータの印刷を許容するか、所定の条件に従って判定する。
【００４２】
そして、印刷を許容すると判定された場合、印刷設定として設定されているサイズに対応する大きさの、前記印刷対象のデータに基づく画像が印刷される。一方、印刷を許容すると判定されなかった場合、センサによりサイズが検出された前記印刷媒体に対して当該印刷対象のデータに基づく画像が印刷されないように制御される。
【００４３】
よって、例えば印刷に使用される印刷用紙のサイズと大きく異なるサイズをユーザが誤って指定していた場合、またはユーザが指定したサイズと大きく異なるサイズの印刷用紙が搬送された場合に、適切な処理を行うことができる。本実施形態の上記処理の詳細については図６、図７を用いて後述する。
【００４４】
なお、上記の印刷設定は、例えば印刷ジョブを印刷装置１００に送信する装置であるホストコンピュータやスマートデバイスにおいてユーザの指示に応じて設定される。具体的には、印刷用紙のサイズや印刷用紙の種別、印刷が行われる際に印刷用紙に設けられる余白に関する設定についてユーザが指示するための表示画面が、ホストコンピュータやスマートデバイスにより表示される。例えばユーザが印刷対象のデータを選択した後に上記表示画面上で印刷設定を指示することで、当該印刷対象のデータの印刷に対する印刷設定を指示することができる。このようにユーザに指示された印刷設定を示す印刷設定情報が、印刷対象のデータとともにホストコンピュータやスマートデバイスから印刷装置１００に送信される。なお印刷設定情報と印刷対象のデータとを含む印刷ジョブとして印刷装置１００に送信されてもよいし、印刷対象のデータと印刷設定情報とがそれぞれ個別に送信されてもよい。また例えばＤＰＯＦ  （Ｄｉｇｉｔａｌ  Ｐｒｉｎｔ  Ｏｒｄｅｒ  ｆｏｒｍａｔ）ファイルのように、設定用紙サイズを含む印刷設定情報が１つのファイルとして、印刷対象のデータを含むファイルとは別に印刷装置１００に送信されてもよい。
【００４５】
なお、図２を用いて説明したように、本実施形態においては印刷用紙１０４が大きい場合に印刷用紙１０４の片端が用紙センサ１１８により検出されないことがあり、このとき中央位置Ｃと位置Ｇとの距離に基づく計算により用紙幅が判定される。この場合、例えば印刷用紙１０４の特性等により、印刷用紙１０４の中心が中央位置Ｃから外れて搬送されてしまうことがある。よって、印刷用紙１０４の片端が検出されなかった場合には、上記所定の範囲を±３ｍｍではなく±１０ｍｍなど比較的広く設定するようにしてもよい。この場合、例えば用紙幅２１０ｍｍが検出されると、往復はがき（用紙幅２００．０ｍｍ）、六切（用紙幅２０３．２ｍｍ）、Ａ４サイズ（用紙幅２１０．０ｍｍ）とレター（用紙幅２１５．９ｍｍ）が用紙サイズの候補として特定される。
【００４６】
また上記の例では、用紙センサ１１８の検出結果である用紙幅を中心に、所定の範囲内（例えば±３ｍｍ）に含まれる用紙サイズを特定していた。しかしこれに限らず、検出結果よりも所定幅（例えば＋３ｍｍ）大きい範囲に含まれる用紙サイズを特定してもよいし、逆に所定幅小さな範囲に含まれる用紙サイズを特定してもよい。また印刷用紙の種別（普通紙、光沢紙等）によって上記所定の範囲を変更するようにしてもよい。例えば印刷用紙が光沢紙の場合、普通紙の場合に比べて反射光が強い。このとき、本来は印刷用紙の位置ではない位置において用紙センサ１１８が取得した出力レベルが上記閾値Ｖｔｈを越えてしまい、当該位置に印刷用紙があるものと判定してしまう可能性がある。よって、例えば印刷用紙の種別が普通紙の場合には±３ｍｍの範囲を設定し、光沢紙の場合には、―６ｍｍの範囲を設定するようにしてもよい。その他、用紙センサ１１８の特定等、種々の条件に応じて上記所定の範囲を設定してよい。
【００４７】
また上記の説明では、図４（ａ）に示した用紙サイズテーブルを用いて用紙サイズの判定を行っていたが、別の例として、図４（ｂ）の用紙サイズテーブルを用いてもよい。
【００４８】
図４（ｂ）の用紙サイズテーブルは、図４（ａ）の用紙サイズテーブルに加えて、用紙幅が近い用紙を示す用紙情報３０４を含む。具体的には、テーブル内に記号（×）が記入されている用紙サイズが、テーブルにおいて当該用紙サイズに対応する用紙サイズと用紙幅が近いものである。例えばＡ４サイズとレターサイズは用紙幅が近いものとして用紙サイズテーブルにおいて指定されている。また封筒洋形６号、はがき、４×６判が、用紙幅が近いものとして指定されている。
【００４９】
ＣＰＵ２０１は、プログラムメモリ２０３からデータメモリ２０４に図４（ｂ）の用紙サイズテーブルを読み出すことで用紙幅３０１を参照することができる。そしてＣＰＵ２０１は、用紙センサ１１８により用紙幅が検出されたときに、検出された用紙幅に対応する用紙サイズを特定する。そして、用紙サイズテーブルにおいて当該用紙サイズに用紙幅が近い用紙サイズが指定されている場合には、その用紙幅が近い用紙サイズも含め、用紙サイズの複数の候補を特定する。
【００５０】
例えば、用紙センサ１１８により検出された用紙幅が９０．０ｍｍの場合、用紙サイズとしてＬ判が一意に特定される。一方、用紙センサ１１８により検出した用紙幅が９９．０ｍｍの場合、用紙サイズとして、当該検出された用紙幅に最も近いはがきサイズが特定され、さらにはがき以外にも、用紙情報３０４で指定されている封筒洋形６号、４×６判が特定される。
【００５１】
以上のようにＣＰＵ２０１は、図４（ａ）または図４（ｂ）の用紙サイズテーブルに基づき、用紙幅３０１に加えて用紙長３０２も含めた印刷用紙の用紙サイズを判定する。そして、ＣＰＵ２０１は、判定した用紙サイズに応じた印刷処理を実行する。
【００５２】
なおＣＰＵ２０１は、図４で示した用紙サイズ（定型サイズ）以外にも、任意の用紙サイズを用紙サイズとして設定して、印刷を行うことができる。具体的には、ｍｍ（ミリメートル）単位で用紙幅、用紙長を用紙サイズとして設定して、設定された用紙幅、用紙長に応じて印刷対象の画像を変倍することにより、設定された用紙サイズに対応する大きさの画像を印刷用紙に印刷することができる。
【００５３】
図５は、ＣＰＵ２０１による印刷制御処理の一例を示すフローチャートである。なお図５に示すフローチャートの処理に対応するプログラムがプログラムメモリ２０３に格納されている。ＣＰＵ２０１はこのプログラムをワークメモリ２０５に読み出し、ワークメモリ２０５上で実行することにより、図５に示すフローチャートの各ステップにおける処理を実現することができる。
【００５４】
Ｓ１０００でＣＰＵ２０１は、インタフェース制御部２０７を介して外部装置からの印刷ジョブを受信し、データメモリ２０４に格納する。なお、この印刷ジョブには、印刷装置１００における印刷対象となる画像等のデータと、当該データの印刷における印刷用紙の種別、印刷用紙のサイズの印刷設定を示す印刷設定情報が含まれている。
【００５５】
Ｓ１０００において印刷ジョブが受信されると、ＣＰＵ２０１はＳ１００１において、印刷設定において設定されている用紙サイズ、当該印刷ジョブを送信した装置の種類、当該印刷ジョブに含まれている印刷対象のデータの種類を特定する。
【００５６】
なおＳ１００１でＣＰＵ２０１は、Ｓ１０００において受信された印刷ジョブに含まれている印刷設定情報を解析する。そして、その印刷設定情報内で当該印刷ジョブに対応する印刷対象のデータに対して設定されている印刷用紙の設定サイズ（設定用紙サイズ）を特定する。この印刷設定情報内の設定用紙サイズは、Ｓ１０００において受信された印刷ジョブを送信した装置（サーバやホストコンピュータ、スマートデバイスなど）により設定される。例えば、当該装置のユーザが当該装置の画面上で印刷用紙のサイズを指定すると、そのサイズを示すサイズ情報が設定用紙サイズとして印刷設定情報内に登録され、当該印刷設定情報を含む印刷ジョブがＳ１００１で受信される。Ｓ１００１では、例えばこのように設定された印刷用紙のサイズが特定される。
【００５７】
なお上記印刷設定情報は、印刷ジョブ内において、印刷対象のデータとは別の情報として印刷ジョブに含まれている。即ち、上記設定用紙サイズを示す情報についても、印刷対象のデータとは別に含まれている。またＤＰＯＦ  （Ｄｉｇｉｔａｌ  Ｐｒｉｎｔ  Ｏｒｄｅｒ  ｆｏｒｍａｔ）ファイルのように、設定用紙サイズを含む印刷設定情報が１つのファイルとして印刷装置１００に送信されてもよい。即ち、印刷対象のデータ（ＪＰＥＧファイル等）とは別のファイルとして印刷設定情報が印刷装置１００に送信されてもよい。
【００５８】
ただし、Ｓ１０００において受信された印刷ジョブを送信した装置や、当該印刷ジョブにおいて印刷指示を行ったアプリケーションによって、印刷設定情報に印刷用紙のサイズの設定情報が含まれている場合と、その設定情報が含まれていない場合がある。Ｓ１００１では、印刷用紙のサイズの設定情報が含まれている場合に、当該設定情報が示すサイズを上記の設定用紙サイズとして特定される。
【００５９】
また、装置の種類を判定する場合、例えば外部装置から印刷ジョブを受信したときの通信におけるプロトコルにより種類を判定してもよいし、当該外部装置から当該外部装置の種類を示す情報を受信し、当該情報により判定を行ってもよい。また印刷対象のデータの種類は、印刷対象のファイルの拡張子を確認することで判定されてもよいし、印刷ジョブを送信した装置から印刷対象のデータの種類を示す情報を印刷装置１００が受信し、その情報により判定処理を行うようにしてもよい。
【００６０】
Ｓ１００２では、Ｓ１００１において特定された装置の種類と印刷対象のデータの種類に応じて、印刷対象の画像の大きさを印刷装置１００に格納されている印刷用紙のサイズに合わせて印刷を行うフィッティング印刷を実行するか判定する。具体的には、Ｓ１００１において特定された装置の種類とデータの種類がそれぞれ所定の種類であるか判定し、当該所定の種類である場合に、フィッティング印刷を行うものと判定する。例えば印刷装置１００がサーバやホストコンピュータ、スマートデバイス２０８から印刷ジョブを受信可能である場合、スマートデバイス２０８を上記所定の種類の装置としてフィッティング印刷を実行する。また印刷対象のデータのファイル形式を確認し、ファイル形式が所定のファイル形式であるか判定するものとする。上記の所定の種類として、例えば印刷対象として写真が選ばれる可能性が高い装置、ファイル形式を上記の所定の種類として設定することで、写真についてより確実にフィッティング印刷を実行することができる。
【００６１】
印刷装置１００において印刷可能なファイルの形式として、ＪＰＥＧ形式、所定のラスターファイル形式、ＰＤＦ（Ｐｏｒｔａｂｌｅ  Ｄｏｃｕｍｅｎｔ  Ｆｏｒｍａｔ）が含まれているものとする。そして、ファイル形式の上記所定の種類は、例えばＪＰＥＧ形式や所定のラスター形式であり、Ｓ１００２では、Ｓ１００１において特定されたファイル形式が所定のファイル形式である場合、フィッティング印刷を実行すると判定する。一方、Ｓ１００１において特定されたファイル形式がＰＤＦである場合、フィッティング印刷を実行しないと判定する。
【００６２】
なお、Ｓ１００２では装置の種類と印刷対象のデータの種類の両方に基づいてフィッティング印刷を実行するか判定されているが、いずれかの種類により判定処理が行われてもよい。例えば撮影装置により撮影された画像のファイル形式としてＪＰＥＧ形式で画像がメモリに記憶されることがある。そこでＳ１００２では、印刷対象のデータがＪＰＥＧ形式である場合にフィッティング印刷を実行するよう判定処理を行ってもよい。
【００６３】
またＳ１００１において特定されＳ１００２における判定の条件となる情報は種々のものであってよい。例えば印刷装置１００の印刷モードがフィッティング印刷を行うモードであった場合に、フィッティング印刷を行うようにしてもよい。さらに、印刷装置１００が複数のインタフェースを備える場合には、Ｓ１００１における印刷ジョブの受信で使用されたインタフェースによりフィッティング印刷を行う判定してもよい。また印刷設定情報において「等倍印刷」が指定されている場合にはフィッティング印刷を行わないようにしてもよい。
【００６４】
また他の条件として、Ｓ１００１において受信された印刷ジョブに含まれている印刷設定情報において用紙サイズが指定されていなかった場合に、フィッティング印刷を行うようにしてもよい。このように用紙サイズが指定されていなかった場合とは、例えば用紙サイズを示す情報が印刷設定情報に含まれていなかった場合でもよいし、フィッティング印刷を指示するための情報が用紙サイズの情報として印刷設定情報に含まれている場合であってもよい。
【００６５】
さらに別の条件として、用紙センサ１１８による用紙幅の検出によりフィッティング印刷を行うことをユーザが画面上で指示したかに応じて、フィッティング印刷を行うか判定する場合であってもよい。例えば上記指示を行うためのチェックボックスを含む画面を印刷装置１００のＣＰＵ２０１が操作パネル２１８に表示させ、当該チェックボックスにユーザがチェックを入れた場合に、フィッティング印刷を行うようにする。他にも、印刷ジョブデータを印刷装置１００に送信する外部装置において上記の画面が表示され、ユーザがその外部装置においてフィッティング印刷を指示する場合でもよい。この場合、外部装置はフィッティング印刷を行わせるための情報を印刷ジョブデータの中に含ませて（または印刷ジョブデータに付加して）、印刷装置１００に送信する。印刷装置１００のＣＰＵ２０１は、Ｓ１００２において、外部装置から上記の情報が受信されたか否かにより、フィッティング印刷を行うか判定する。なお、操作パネル２１８または外部装置に表示される上記の画面は印刷前に予め表示され、印刷前にユーザが指示した内容が印刷実行時にＳ１００２において確認されることで、フィッティング印刷を行うか判定される。また他にも、上記の画面が印刷実行時に表示されて印刷実行時にユーザが指示を行う場合であってもよい。
【００６６】
さらにフィッティング印刷を行わせるためのユーザによる上記の指示がなかった場合、Ｓ１００１において特定された装置の種類と印刷対象のデータの種類に関わらず、フィッティング印刷を行わないようＳ１００２において判定してもよい。即ち、ユーザによる上記の指示があり、且つ装置の種類と印刷対象のデータの種類が所定の種類である場合に、フィッティング印刷を行うよう判定してもよい。
【００６７】
Ｓ１００２において、フィッティング印刷が実行されると判定された場合には、Ｓ１００３〜Ｓ１００６の処理が実行される。一方、フィッティング印刷が実行されると判定されなかった場合、Ｓ１００７に処理が遷移する。
【００６８】
Ｓ１００３でＣＰＵ２０１は、モータ制御部２０９、センサ制御部２１４により、キャリッジ１１３および用紙センサ１１８を駆動させ、図２を用いて説明した用紙幅検出を実行する。続くＳ１００４では、Ｓ１００３における用紙幅検出により検出された用紙幅を取得し、ワークメモリ２０５に用紙幅情報として記憶する。
【００６９】
次にＣＰＵ２０１はＳ１００５において、Ｓ１００４において記憶された用紙幅情報と図４の用紙サイズテーブルを参照して、印刷装置１００がサポートする定型用紙サイズのから１または複数の用紙サイズを印刷媒体のサイズの候補として特定する。上述のように、Ｓ１００４において記憶された用紙幅情報によっては、複数の用紙サイズが印刷媒体のサイズの候補として抽出される。なお、この抽出された用紙サイズ（群）は、候補用紙サイズ情報としてワークメモリ２０５に記憶される。
【００７０】
次にＣＰＵ２０１はＳ１００６において、印刷装置１００において搬送されている印刷媒体の大きさに合わせて印刷対象の画像を画像メモリ２０６上に作成するフィッティング処理を実行する。このフィッティング処理の詳細については図６を用いて説明する。
【００７１】
上記Ｓ１００２における判定においてフィッティング印刷が実行されると判定されなかった場合、Ｓ１００７の処理が実行される。Ｓ１００７においてＣＰＵ２０１は、印刷設定情報により指定されている印刷設定に従って印刷対象の画像を画像メモリ２０６上に作成する。例えば印刷ジョブに印刷対象の画像データが含まれており、印刷設定において印刷方法として「拡大／縮小印刷」、印刷用紙サイズとして「Ａ４サイズ」が設定されていた場合、画像データを展開し、展開された画像をＡ４サイズに合わせて変倍する。また印刷方法として「等倍印刷」が指定されていた場合には、上記変倍処理を行わずに印刷対象の画像を作成する。なお、フチなし印刷が指定されている場合は、印刷設定に設定されている印刷用紙サイズがフチなし拡大率で拡大されたレイアウト領域に印刷対象の画像がレイアウトされる。
【００７２】
例えばＳ１００１において特定されたファイル形式がＰＤＦである場合、Ｓ１００２においてフィッティング印刷は実行されないと判断される。この場合、Ｓ１００７において、ＰＤＦファイルにおいて設定されているページサイズに応じて用紙サイズを設定してもよい。
【００７３】
ＰＤＦファイルでは、ページサイズの情報をファイル内に書き込むことが可能であり、例えばＰＤＦファイル内のページに対して適切なページサイズが書き込まれている。仮にそのページサイズ以外のサイズにページのフィッティングを行った場合、本来印刷されるべき印刷用紙のサイズとは異なる印刷用紙に印刷が行われてしまう場合がある。そこで、Ｓ１００１において特定されたファイル形式がＰＤＦの場合、フィッティング印刷は行われず、Ｓ１００７においてＰＤＦファイル内のページサイズが印刷用紙のサイズとして設定される。
【００７４】
また印刷対象がＰＤＦファイルの場合、Ｓ１００７において用紙センサ１１８による用紙幅の検出が実行されてもよい。この場合、ＰＤＦファイル内のページサイズの幅と、用紙センサ１１８による用紙幅を比較する。そして、両者の差が所定の幅よりも小さければページサイズに合わせた印刷が実行され、上記差が所定の幅以上であれば、印刷用紙のサイズをユーザが確認するためのエラーメッセージが操作パネル２１８に表示されてもよい。
【００７５】
Ｓ１００８においてＣＰＵ２０１は、上記のＳ１００６またはＳ１００７において画像メモリ２０６上に作成された印刷対象の画像をヘッド制御部２１３に出力する。そして、印刷ヘッド１１２、キャリッジ１１３を駆動させて当該印刷対象の画像を印刷媒体に印刷させる。
【００７６】
なお、上記Ｓ１００６またはＳ１００７において印刷対象の画像を作成するときに、印刷対象のデータがＪＰＥＧ画像ファイル等の画像データであれば伸長処理を行ってビットマップデータを画像メモリ２０６上に展開する。また印刷対象のデータがベクターデータの場合は画像メモリ２０６においてレンダリング処理を行い、画像メモリ２０６上にビットマップデータを展開する。
【００７７】
以上、図５のフローチャートが示す処理により、印刷設定に応じた大きさまたは用紙センサ１１８の検出結果に基づく大きさの画像が印刷装置１００により印刷される。
【００７８】
図６は、図５のＳ１００６におけるフィッティング処理の内容を示すフローチャートである。
【００７９】
図６のＳ１２００においてＣＰＵ２０１は、図５のＳ１００１において設定用紙サイズが特定されたか判定する。上記Ｓ１００１に関する記載で説明したように、印刷ジョブを送信した装置や印刷指示を行ったアプリケーションによって、印刷設定情報に印刷用紙のサイズを示す設定情報が含まれている場合と、その設定情報が含まれていない場合がある。Ｓ１２００では、印刷ジョブの印刷設定情報に印刷用紙のサイズを示す設定情報が含まれており、Ｓ１００１においてその設定情報が示す設定用紙サイズが特定された判定する。
【００８０】
Ｓ１２００において、Ｓ１００１において設定用紙サイズが特定されたと判定された場合はＳ１２０１に進み、設定用紙サイズが特定されなかったと判定された場合にはＳ１２０８に進む。
【００８１】
Ｓ１２０１においてＣＰＵ２０１は、Ｓ１００１で特定された設定用紙サイズが、用紙センサ１１８により検出された印刷用紙の幅に基づく印刷用紙のサイズのＳ１００５で取得された候補（群）に含まれるかどうか判定する。設定用紙サイズが候補用紙サイズ群に含まれないと判断された場合にはＳ１２０６へ進む。一方、設定用紙サイズが候補用紙サイズ群に含まれると判断された場合、Ｓ１２０２に進む。
【００８２】
ＣＰＵ２０１はＳ１２０２において、Ｓ１００５で取得された印刷用紙のサイズの候補が１つのみであるか判定する。Ｓ１２０８において印刷用紙のサイズの候補が複数あると判定された場合、Ｓ１２０５に進む。一方、印刷用紙のサイズの候補が１つのみであると判定された場合、その候補を印刷用紙のサイズ（設定用紙サイズ）として設定し、Ｓ１２０３に進む。
【００８３】
ＣＰＵ２０１はＳ１２０３において、印刷対象の画像がレイアウトされるレイアウト領域の幅（レイアウト幅）、長さ（レイアウト長）を、設定用紙サイズに応じて決定する。具体的には、例えば設定用紙サイズがＡ４サイズの場合、Ａ４サイズの幅（２１０．０ｍｍ）、長さ（２９７．０ｍｍ）のそれぞれから、余白設定において設定されている余白の幅が除かれた長さを、レイアウト幅、レイアウト長として決定する。なお、余白設定においてフチなし印刷が指定されている場合、設定用紙サイズをフチなし印刷のための所定の拡大率（例えば１０５％）で拡大した大きさが、レイアウト領域の大きさとして決定される。
【００８４】
Ｓ１２０４では、図５のＳ１０００において受信された印刷ジョブに対応する印刷対象の画像を、Ｓ１２１０において記憶されたレイアウト幅、レイアウト長に合わせて拡大または縮小した上でデータメモリ２０４中の画像メモリ２０６上で展開する。
【００８５】
なおＳ１２０４では、印刷ジョブに印刷対象の画像が含まれている場合には、その画像を画像メモリ２０６上で展開する。また印刷ジョブにテキストデータやベクターデータが含まれている場合、またはＨＴＭＬ等の構造化文書が印刷対象である場合には、ＣＰＵ２０１は、それらのデータに対するレンダリング処理を行うことで画像メモリ２０６上に印刷対象の画像を展開する。さらに、印刷対象のデータの格納場所を特定するためのＵＲＬやファイルパス情報が印刷ジョブに含まれている場合には、ＣＰＵ２０１はそれらの情報に従って外部のサーバや内部または外部のメモリから印刷対象のデータを取得する。そして、そのデータに基づいて印刷対象の画像を画像メモリ２０６上で展開する。
【００８６】
上記のＳ１２０１において設定用紙サイズが候補用紙サイズ（群）に含まれており、且つＳ１２０２において候補用紙サイズが複数あると判定された場合、Ｓ１２０５に進む。即ち、設定用紙サイズに対応する候補用紙サイズが一意に特定されなかった場合に、Ｓ１２０５の処理が実行される。
【００８７】
Ｓ１２０５では、上記のように設定用紙サイズに対応する候補用紙サイズが一意に特定されなかった場合の印刷を許容するか、所定の条件に従って判定する。このＳ１２０５における処理の詳細については図７を用いて説明する。
【００８８】
Ｓ１２０５において印刷が許容されると判定された場合、Ｓ１２０３において、Ｓ１２０５において設定された設定用紙サイズに従ってレイアウト幅、レイアウト長が決定される。
【００８９】
一方、Ｓ１２０５において、印刷を許容できると判定されなかった場合、Ｓ１２０６に進む。このとき、図５のＳ１００３において用紙センサ１１８により印刷用紙の幅を検出するために、印刷に使用される印刷用紙が図１における用紙センサ１１８の下の位置まで搬送されている。Ｓ１２０６でＣＰＵ２０１は、当該印刷（図５のＳ１０００で受信された印刷ジョブに基づく印刷）をキャンセルするために、印刷ヘッド１１２による印刷を行わずに、搬送モータ２１０を制御して当該印刷用紙を排紙トレイ１１７に排紙する。
【００９０】
次にＳ１２０７においてＣＰＵ２０１は、当該印刷がキャンセルされたことをエラーとしてユーザに通知する。例えば、パネル制御部２１７を制御して、設定用紙サイズと印刷装置１００において搬送された印刷用紙のサイズが異なることを示す表示を操作パネル２１８に表示させる。なお、このとき、設定用紙サイズと候補用紙サイズ（群）の両方または一方を表示して、ユーザが設定用紙サイズと印刷装置１００に印刷させる印刷用紙のサイズの両方または一方を修正して、再度印刷を指示できるようにしてもよい。またエラー通知の方法は表示に限らず、例えば不図示のスピーカーから警告音や警告の内容を知らせる音声を出力するようにしてもよい。
【００９１】
Ｓ１２０７においてエラー通知が行われると、処理を終了する。このとき、図５のＳ１００８には進まないため、当該印刷がキャンセルされる。
【００９２】
上記のＳ１２００において設定用紙サイズが特定されなかったと判定された場合、Ｓ１２０８の処理が実行される。
【００９３】
ＣＰＵ２０１はＳ１２０８において、Ｓ１００５で取得された印刷用紙のサイズの候補が１つのみであるか判定する。Ｓ１２０８において印刷用紙のサイズの候補が複数あると判定された場合、Ｓ１２０９に進む。一方、印刷用紙のサイズの候補が１つのみであると判定された場合、その候補を印刷用紙のサイズ（設定用紙サイズ）として設定し、Ｓ１２１０に進む。Ｓ１２１０における処理については後述する。
【００９４】
Ｓ１２０９では、複数の候補用紙サイズから、印刷対象の画像が展開されるレイアウト領域のサイズを決定するための候補用紙サイズを絞り込む。この絞り込みは、各種の条件により実行される。その条件として、例えば当該印刷に対して設定された、印刷用紙の種別や、印刷装置１００の仕向け情報を用いる。印刷用紙の種別は、印刷ジョブを送信する装置において、例えばユーザの指示により指定される。その指定された種別を示す種別情報が印刷設定情報に含まれており、Ｓ１００１において種別情報が取得され、印刷用紙の種別が特定される。なお、この種別として「封筒」「はがき」等が指定され、その種別に応じた印刷処理が実行される。例えば複数の候補が「はがき」と「４×６判」であり、印刷用紙の種別が「はがき」である場合、「４×６判」よりも「はがき」の方が適切な用紙サイズとして候補「はがき」に絞り込みが行われる。
【００９５】
また「仕向け情報」とは、印刷装置１００が出荷または販売される国や地域を示す情報であり、この情報がプログラムメモリ２０３に格納されている。この仕向け情報を参照することにより、印刷装置１００が使用される国や地域を判別することができる。例えば候補用紙サイズが「Ａ４」と「レター」であり、仕向け情報が「日本」である場合、日本ではレターサイズよりもＡ４サイズの方が多く使用されるため、候補「Ａ４」に絞り込みを行うことができる。なお、「仕向け情報」は、上記のように印刷装置１００が販売される国や地域を示す情報に限らず、例えば言語設定の情報であってもよい。印刷装置１００では、ユーザに対する通知やガイダンスを操作パネル２１８に表示させるために、当該表示に用いる言語が設定されている。その言語設定の情報により印刷装置１００が使用されている国や地域を特定するようにしてもよい。
【００９６】
また印刷用紙の種別、仕向け情報などの条件を組み合わせてもよい。例えば、印刷用紙の種別で候補が一意に絞り込めなかった場合に、仕向け情報により更に絞り込みを行ってもよい。例えば候補用紙サイズが「４×６判」、「封筒長形３号」、「２Ｌ判」であり、印刷用紙の種別が「封筒」「はがき」以外の「その他」であった場合、「封筒」に対応する「封筒長形３号」は除外されるが、「４×６判」と「２Ｌ判」は候補として残る。そこで、仕向け情報を参照し、例えば仕向け情報が「米国」を示す場合、米国では「２Ｌ判」よりも「４×６判」が多く使用されるため、「４×６判」に絞り込みを行うことができる。
【００９７】
以上のようにＳ１２０９において複数の候補用紙サイズからの絞り込みが行われると、Ｓ１２１０に進む。
【００９８】
Ｓ１２１０においてＣＰＵ２０１は、設定用紙サイズに応じてレイアウト幅、レイアウト長が設定される。そして、Ｓ１２０４において、Ｓ１２１０において設定されたレイアウト幅、レイアウト長のレイアウト領域に印刷対象の画像が展開され、図５のＳ１００８における印刷実行処理に進む。
【００９９】
以上のように、図６に示した処理によれば、例えば印刷ジョブを送信する装置においてユーザが所望の印刷用紙のサイズを指定した場合、Ｓ１２０１においてそのサイズが実際に印刷に使用される印刷用紙のサイズに対応するものであるか判定される。そして、その判定により、ユーザ指定のサイズが印刷に使用される印刷用紙のサイズに対応するものである場合（Ｓ１２０１でＹＥＳ）に、その指定されたサイズに応じた画像を当該印刷用紙に印刷させることができる。
【０１００】
一方、ユーザが指定した印刷用紙のサイズが印刷に使用される印刷用紙のサイズに対応するものではない場合（Ｓ１２０１でＮＯ）、Ｓ１２０６、Ｓ１２０７の処理により印刷がキャンセルされる。よって、例えば印刷に使用される印刷用紙のサイズと大きく異なるサイズをユーザが誤って指定していた場合、またはユーザが指定したサイズと大きく異なるサイズの印刷用紙が搬送された場合に、当該印刷が実行されてしまうことを防ぐことができる。
【０１０１】
なお、印刷を制限する方法として、印刷をキャンセルする方法に限らず、例えばＳ１２０６における排紙を行わずにＳ１２０７におけるエラー通知を行い、当該エラー通知に対してユーザが印刷実行を指示した場合には、印刷を実行する方法であってもよい。この場合、ユーザがエラー通知に対して印刷のキャンセルを指示した場合に、Ｓ１２０６における排紙が行われ、印刷がキャンセルされる。
【０１０２】
また設定用紙サイズが特定されず、且つ候補用紙サイズが複数ある場合（Ｓ１２００でＮＯ、Ｓ１２０８でＮＯ）、上記の各種の条件で候補の絞り込みが行われる。よって、ユーザが印刷用紙のサイズを指定しなかった場合、また印刷用紙のサイズを指定しないアプリケーションにより印刷ジョブが発行された場合に、実際に印刷に使用される印刷用紙のサイズに応じた適切なサイズの画像を当該印刷用紙に印刷させることができる。
【０１０３】
またこのようにユーザの指示によりキャンセルを行うか判断するものに限らず、様々な条件に従って印刷のキャンセルを行うか否かを判定してもよい。その条件として、印刷設定情報において設定されている印刷用紙の種別を用いてもよい。例えば印刷用紙の種別が写真紙（光沢紙、コート紙など）である場合にはキャンセル処理を行い、種別が普通紙である場合にはキャンセルを行わずに、設定用紙サイズまたは候補用紙サイズに従って印刷を実行するようにしてもよい。これにより、光沢紙などの比較的高価な印刷用紙に印刷が行われる可能性があるときに、その印刷用紙のサイズに適さないサイズの画像が印刷されてしまうことを防ぐことができる。また例えばユーザが写真画像をＬ判サイズの印刷用紙に印刷させる前に、設定用紙サイズとして「Ｌ判」を指定してＡ４サイズの普通紙に印刷を実行させ、印刷結果を確認することが考えられる。上記構成によれば、このように設定用紙サイズと候補用紙サイズの大きさが異なる場合でも用紙種別が普通紙であれば印刷が実行されるため、ユーザが意図した上記印刷を実現することができる。
【０１０４】
図６に示した処理によれば、設定用紙サイズがＡ４サイズ、レターサイズのいずれでもなかった場合、印刷がキャンセルされる。そのため、例えばＡ４サイズ、レターサイズと大きく異なるＬ判サイズをユーザが誤って指定していた場合、印刷がキャンセルされる。そのため、実際に印刷に使用される印刷用紙に比べて小さなＬ判サイズに対応するレイアウト領域に画像が展開されて印刷が実行されてしまうことを防ぐことができる。また本来はＬ判の印刷用紙に印刷すべき印刷ジョブとしてユーザが設定用紙サイズ「Ｌ判」を指定していたにもかかわらず、Ａ４サイズやレターサイズといったＬ判サイズに対応する画像に対して大きな印刷用紙に印刷が実行されてしまうことを防ぐことができる。
【０１０５】
また図６に示した処理によれば、設定用紙サイズに対応する候補用紙サイズが一意に特定されなかった場合に、Ｓ１２０５において、印刷を許容するか所定の条件に従って判定される。
【０１０６】
図７は、図６におけるＳ１２０５の処理の詳細を示す図である。
【０１０７】
ＣＰＵ２０１はＳ１１０１において、図５のＳ１０００において受信された当該印刷ジョブの印刷が画質を優先すべきものかの判定を行う。
【０１０８】
例えば、印刷ヘッド１１２に設けられているインクを吐出するためのノズルの吐出不良の確認を行うノズルチェックパターンが印刷対象である場合、画質を優先すべきものではないと判定される。このノズルチェックパターンは、その印刷結果から吐出不良を確認するためのものである為、印刷に使用される印刷用紙内にパターンが印刷されれば問題がない。また印刷装置１００の設定情報を印刷する情報印字パターンやインクタンクの情報を印刷するパターン、印刷ヘッド１１２の取り付け位置のズレの調整を行うレジ調整パターンなども同様に、画質を優先すべき印刷対象ではないと判定される。
【０１０９】
本実施形態においては、このようなパターンを示す画像が、各パターンが画質が優先されるべき印刷対象であるか否かを示す情報とともに、プログラムメモリ２０３に記憶されている。Ｓ１１０１においてＣＰＵ２０１は、印刷ジョブがパターンの印刷を指示するものであるときに、プログラムメモリ２０３から当該印刷ジョブに対応するパターンの画像を読み出す。そして、Ｓ１１０１において上記情報により、当該パターンが画質優先であるか判定する。
【０１１０】
またＳ１１０１では、当該印刷が画質を優先するパターンの印刷である場合や、また写真印刷等のパターンの印刷ではない場合、Ｓ１１０３に進む。Ｓ１１０３における処理の詳細については後述する。
【０１１１】
Ｓ１１０１において、画質を優先しないと判断した場合Ｓ１１０２へと進む。
【０１１２】
Ｓ１１０２においてＣＰＵ２０１は、印刷するパターンの印刷開始位置とパターンのサイズと、複数の候補用紙サイズを比較して、当該パターンが印刷用紙において欠けることなく印刷可能か判断する。
【０１１３】
例えば印刷対象がＡ４サイズの用紙を想定したノズルチェックパターンであり、設定用紙サイズがＡ４サイズ、候補用紙サイズがＡ４サイズとレターサイズであった場合の処理を説明する。ノズルチェックパターンの横幅はＡ４幅（２１０．０ｍｍ）に収まり、長さはレターサイズ長（２７９．４ｍｍ）に収まるパターンサイズである。よってこの場合、印刷装置１００にセットされている印刷用紙がＡ４サイズ、レターサイズのいずれであっても、ノズルチェックパターンが欠けることなく印刷用紙に印刷される。よって、この場合、Ｓ１１０２では、パターンが印刷用紙に欠けることなく印刷されると判断される。
【０１１４】
一方、仮にパターンの長さがレターサイズ長よりも大きい場合、印刷装置１００にセットされている用紙サイズがレターサイズであった場合、パターンが欠けて印刷されてしまう。よってこの場合、Ｓ１１０２では、パターンが印刷用紙に欠けて印刷されると判断される。
【０１１５】
Ｓ１１０１において当該印刷ジョブに対応する印刷が画質優先と判断された場合、もしくはＳ１１０２において候補用紙サイズ内にパターンが収まると判断されなかった場合、Ｓ１１０３に進む。
【０１１６】
Ｓ１１０３では、当該印刷が許容されないと判断される。すると図６のＳ１２０５からＳ１２０６、Ｓ１２０７に処理が進み、当該印刷がキャンセルされる。
【０１１７】
一方、Ｓ１１０２において候補用紙サイズ内にパターンが収まると判断された場合、Ｓ１１０４に進み、当該印刷が許容されると判断される。すると、図６のＳ１２０５〜Ｓ１２０３、Ｓ１２０４に処理が実行され、当該設定用紙サイズに応じた大きさの印刷対象の画像が展開され、図５のＳ１００８において印刷が実行される。上記の例において設定用紙サイズがＡ４サイズであるノズルチェックパターンの印刷の場合、Ａ４サイズ、もしくはレターサイズの印刷用紙にこのノズルチェックパターンが印刷される。このノズルチェックパターンは、印刷装置１００にセットされている印刷用紙がＡ４サイズ、レターサイズのいずれであっても印刷用紙内に欠けることなく印刷されるため、ユーザはノズルの吐出不良を適切に確認することができる。
【０１１８】
また別の例として、写真印刷について説明する。設定用紙サイズが２Ｌ判、候補用紙サイズが２Ｌ判、封筒長形３号であった場合の処理を説明する。図５のＳ１１０１において、当該印刷ジョブの印刷が写真印刷であるので、画質優先の印刷と判断され、Ｓ１１０３へと進み、当該印刷が許容出来ないと判断される。その結果、仮に印刷装置１００にセットされている印刷用紙が封筒長形３号であった場合に、印刷が行われてしまうことを防ぐことができる。図７に示したように印刷が実行された条件により画質を優先するか出力を優先するか判断することで、候補用紙サイズを一意に特定できなかった場合に、適切な制御を行うことができる。
【０１１９】
なお、図７の例では、Ｓ１２０５において印刷を許容するか判断するための所定の条件として、当該印刷が画質優先であるか否かを条件とする例を示した。
【０１２０】
しかしこれに限らず、種々の条件に従って判断してもよい。例えば印刷ジョブを送信する装置から、候補用紙サイズが一意に特定できなかった場合に印刷を許容させるか否かを指定するための情報を印刷ジョブとともに受信し、Ｓ１２０５ではこの情報により判定を行ってもよい。例えばネットワークサーバの登録情報の印刷の場合、サーバ側にて登録情報とともに、印刷を許容する旨を示す情報を印刷装置１００に送信することで、その旨を印刷装置１００に通知する。このような印刷を許容する旨を示す情報は印刷ジョブとは個別のコマンドでもよいし、印刷設定の用紙サイズ（設定用紙サイズ）において印刷を許容する旨を示すサイズを設定してもよい。
【０１２１】
またＳ１２０５における判定に用いられる他の条件として、設定用紙サイズを条件としてもよい。例えば設定用紙サイズが写真印刷に用いられることが多いサイズ（Ｌ判、はがき、４×６判、２Ｌ判、往復はがき、六切り等）であった場合に、印刷が許容されないと判定してもよい。このようなサイズが設定用紙サイズである場合、印刷対象の画像が写真であると判定することができる。写真印刷の場合、文書印刷に比べて印刷に使用されるインクの量が多い。そのため、このようなサイズが設定用紙サイズである場合に印刷が許容されないように制御することで、多くのインクを使用したにもかかわらずユーザが希望するサイズの印刷用紙に印刷が行われてしまいインクが無駄になってしまうことを防ぐことができる。
【０１２２】
また別の条件として、候補用紙サイズを条件としてもよい。例えば候補用紙サイズに写真印刷に用いられることが多いサイズ（Ｌ判、はがき、４×６判、２Ｌ判、往復はがき、六切り等）であった場合に、印刷が許容されないと判定してもよい。
【０１２３】
さらに別の条件として、印刷設定における用紙種別を条件としてもよい。例えば用紙種別が写真印刷に対応する種別（「光沢紙」等）や「はがき」「封筒」であった場合、印刷が許容されないように制御し、種別が「普通紙」であった場合、印刷が許容されるよう制御してもよい。
【０１２４】
用紙サイズが写真印刷に多く用いられるサイズである印刷用紙は、Ａ４サイズ等、文書に多く使用される印刷用紙と比べて高価であることが多く、また種別が「光沢紙」「はがき」「封筒」の印刷用紙は、普通紙の印刷用紙に比べて高価であることが多い。
【０１２５】
よって上記のように制御を行うことで、例えば設定用紙サイズとは異なるサイズの高価な印刷用紙をユーザが誤って印刷装置１００にセットしていた場合に、この高価な印刷用紙に適切でないサイズの画像が印刷されてしまうことを防ぐことができる。
【０１２６】
またＳ１２０５では上記のような種々の条件を組み合わせて判定を行ってもよい。例えば、印刷対象が所定のパターンであり、且つ印刷設定において設定されているサイズがＡ４サイズであり、且つ印刷設定において設定されている用紙種別が普通紙である場合に、印刷を許容すると判定してもよい。
【０１２７】
なお、以上の実施形態では、設定用紙サイズが候補用紙サイズに含まれており（Ｓ１２０１でＹＥＳ）さらに候補用紙サイズが複数ある場合（Ｓ１２０２でＮＯ）に、Ｓ１２０５において当該印刷を許容するか判定していた。
【０１２８】
しかしこれに限らず、上記のような所定の条件に従って印刷が許容されていると判定された場合、設定用紙サイズが候補用紙サイズに含まれているか否かに関わらず、設定用紙サイズに応じた大きさの画像を印刷するようにしてもよい。この場合、印刷が許容されていると判定された場合、用紙センサ１１８による用紙幅の検出を行わないようにしてもよく、当該判定がされなかったときに、用紙センサ１１８による検出を行うようにしてもよい。
【０１２９】
また以上の実施形態では、印刷装置１００が外部装置から印刷ジョブを受信したときに、印刷用紙の用紙サイズを判定して、判定された用紙サイズに応じた印刷を実行する例について説明した。しかしこれに限らず、印刷装置１００が備えるスキャナ２２０により読み取られたスキャン画像を印刷用紙に印刷させるコピー機能において、用紙サイズの判定を行ってもよい。
【０１３０】
また、上記の実施形態では、インタフェースを介して接続されたスマートデバイス２０８からの印刷ジョブの場合を説明したが、電話回線やネットワーク回線により接続された、遠隔地からの印刷であってもよい。印刷ジョブを発行する装置はスマートデバイス２０８として説明したが、スマートデバイス２０８の代わりに、ホストコンピュータ、デジタルテレビ等の装置であってもよい。また、ユーザが操作する装置から直接印刷ジョブを受け取る形態であっても、プリントサーバーやクラウドサービス等の中間装置を通して印刷ジョブを受け取る形態であってもよい。
【０１３１】
図８は、コピー機能における印刷制御処理の一例を示すフローチャートである。図８に示すフローチャートの処理は、図５において示した処理と同様に、ＣＰＵ２０１により実行される。また図８に示すフローチャートの処理は、ユーザが印刷装置１００の操作パネル２１８を用いてコピー機能を選択し、コピー機能実行の指示がＣＰＵ２０１に入力されたときに実行される。
【０１３２】
Ｓ２０００においてＣＰＵ２０１は、パネル制御部２１７により、コピー機能におけるコピー設定やコピー開始をユーザが指定するための設定画面を操作パネル２１８の表示パネルに表示させる。コピー設定画面により設定される内容には、コピー機能において印刷される印刷用紙の用紙サイズ、印刷部数、余白設定、印刷濃度等の設定が含まれる。余白設定には、印刷用紙において余白（フチ）を設けるか否を示す「フチなしコピー」の指定や、フチなしコピーが指定されないときの余白の幅の設定が含まれる。なお、初期設定のコピー設定を示すコピー設定情報がプログラムメモリ２０３に記憶されており、ＣＰＵ２０１はコピー設定情報をデータメモリ２０４に読み出して、上記初期設定をコピー設定画面に表示させる。ユーザはそのデフォルト設定を変更することによりコピー設定を指示することができる。
【０１３３】
上記コピー設定には、スキャナ２２０により読み取られたスキャン画像の変倍（拡大または縮小）に関する変倍設定が含まれており、例えば「等倍設定」が指定された場合には、スキャン画像が変倍されずに印刷される。またユーザにより倍率指定がされた場合には、その指定された倍率でスキャン画像が変倍される。さらに「自動変倍」が指定された場合には、印刷装置１００に格納されている用紙の大きさに合うように変倍（フィッティング処理）が実行される。
【０１３４】
Ｓ２００１においてＣＰＵ２０１は、操作パネル２１８に対してユーザがコピー設定を指示したか判定する。コピー設定を指示したと判定された場合、Ｓ２００２に進み、コピー設定が指示されていないと判定された場合、Ｓ２００３に進む。
【０１３５】
Ｓ２００２においてＣＰＵ２０１は、操作パネル２１８に対してユーザが指定したコピー設定を示すコピー設定情報を、パネル制御部２１７を介して取得する。Ｓ２００２では、ＣＰＵ２０１が、データメモリ２０４に記憶されているコピー設定情報をユーザにより指定されたコピー設定情報に書き換える。Ｓ２００３では、ユーザによりコピー開始が指示されたか判定する。Ｓ２００２でコピー開始が指示されたと判定されるとＳ２００４へ進み、コピー開始指示が指示されたと判定されなかった場合にはＳ２００１に戻る。Ｓ２００４においてＣＰＵ２０１は、スキャナ制御部２１９によりスキャナ２２０に原稿を読み取らせる。
【０１３６】
次にＳ２００５においてＣＰＵ２０１は、データメモリ２０４に記憶されているコピー設定情報において「自動変倍」が指定されているか判定する。Ｓ２００５において「自動変倍」が指定されていないと判定された場合、Ｓ２００６において、コピー設定情報における変倍設定に従って印刷対象の画像を画像メモリ２０６上に作成する。
【０１３７】
一方、Ｓ２００５において「自動変倍」が指定されていると判定された場合には、Ｓ２００７〜Ｓ２０１０の処理が実行される。Ｓ２００７〜Ｓ２０１０では、印刷装置１００において搬送されている印刷用紙のサイズが判定され、Ｓ２００４における読取りにより取得されたスキャン画像が、判定された用紙サイズに応じて変倍される。このＳ２００７〜Ｓ２０１０の処理は、図５を用いて上述したＳ１００３〜Ｓ１００６の処理と同様であるため、詳細な説明は省略する。
【０１３８】
Ｓ２０１１においてＣＰＵ２０１は、上記のＳ２００６またはＳ２０１０において画像メモリ２０６上に作成された印刷対象の画像をヘッド制御部２１３に出力する。そして、印刷ヘッド１１２、キャリッジ１１３を駆動させて当該印刷対象の画像を印刷媒体に印刷させる。
【０１３９】
以上、図８に示した処理では、コピー設定情報における変倍設定が「自動変倍」である場合に、用紙センサ１１８に基づき判定された、印刷装置１００において搬送されている用紙サイズに応じた大きさの画像を印刷させることができる。
【０１４０】
以上の実施形態によれば、例えば印刷ジョブを送信する装置においてユーザが所望の印刷用紙のサイズを指定した場合、そのサイズが実際に印刷に使用される印刷用紙のサイズに対応するものであるか判定される。そして、その判定により、ユーザ指定のサイズが印刷に使用される印刷用紙のサイズに対応するものである場合に、その指定されたサイズに応じた画像を当該印刷用紙に印刷させることができる。
【０１４１】
一方、ユーザが指定した印刷用紙のサイズが印刷に使用される印刷用紙のサイズに対応するものではない場合、候補用紙サイズに応じた大きさの画像が印刷される（図６（ａ））または印刷がキャンセルされる（図６（ｂ））。
【０１４２】
よって、例えば印刷に使用される印刷用紙のサイズと大きく異なるサイズをユーザが誤って指定していた場合、またはユーザが指定したサイズと大きく異なるサイズの印刷用紙が搬送された場合に、適切な処理を行うことができる。具体的には、そのような場合に、印刷用紙と大きさが大きく異なる画像が印刷されてしまうことを防ぐことができる。
【０１４３】
また設定用紙サイズが特定されない場合、用紙センサ１１８により検出された用紙幅に基づく印刷媒体のサイズの候補に従って印刷が行われる。よって、ユーザが印刷用紙のサイズを指定しなかった場合、また印刷用紙のサイズを指定しないアプリケーションにより印刷ジョブが発行された場合に、実際に印刷に使用される印刷用紙のサイズに応じた適切なサイズの画像を当該印刷用紙に印刷させることができる。
【０１４４】
なお、以上の実施形態において説明した「設定用紙サイズ」は、印刷ジョブを送信する装置においてユーザが指定したものに限らない。例えば、印刷装置１００の操作パネル２１８をユーザが用いて印刷装置１００に対して設定したものでもよい。さらに、「設定用紙サイズ」はユーザが指定するものに限らず、印刷ジョブを送信する装置の種類、アプリケーション、あるいは印刷装置１００における印刷モード等の各種の条件に応じて自動的に設定されるものであってもよい。
【０１４５】
また、以上の実施形態では、印刷装置１００の外部装置から受信された印刷ジョブに基づく印刷や、印刷装置１００においてコピー機能が実行されたときに、用紙センサ１１８の検出結果に基づいて印刷用紙のサイズを判定する例を示した。しかしこれに限らず、例えばメモリカードスロット２２２に装着されたメモリカード２２３に記憶されている画像を、ユーザが操作パネル２１８において設定した印刷設定に従って印刷するときに、上記の印刷用紙サイズの判定処理を実行してもよい。例えばユーザが指定した印刷設定を示す印刷設定情報において用紙サイズが指定されていなかった場合に、上記のサイズ判定処理を行ってもよい。なお、印刷設定情報において用紙サイズが指定されていなかった場合とは、印刷設定情報に用紙サイズが含まれていない場合でもよい。または、用紙センサ１１８による用紙幅の検出結果に応じた用紙サイズの設定処理を実行させるための指示が印刷設定情報に含まれている場合でもよい。
【０１４６】
また、このように印刷装置１００においてユーザが指定した印刷設定に従って印刷を行う場合、メモリカード２２３のような外部メモリに限らず、印刷装置１００が備える内部メモリに記憶されている画像を印刷する場合であってもよい。また、印刷装置１００とネットワークを介して接続されたサーバ等の外部装置に格納されている画像を、印刷装置１００の操作パネル２１８においてユーザが指定した印刷設定に従って印刷する場合であってもよい。
【０１４７】
さらに、以上の実施形態では印刷装置１００の用紙センサ１１８が用紙の幅を検出する例を示したが、これに限らず、センサにより用紙の長さが検出される場合でもよいし、または用紙の幅、長さの両方が検出される場合であってもよい。いずれの検出方法であっても、印刷装置１００において用いられる印刷用紙のサイズとして複数の候補があった場合に、以上の実施形態で示した処理により適切な用紙サイズを決定することができる。
【０１４８】
また、以上の実施形態では、図６で示した用紙サイズの判定処理を印刷装置１００が備えるＣＰＵ２０１が情報処理装置として実行する例を示した。しかしこれに限らず、印刷装置１００に接続され当該印刷装置に印刷を実行させるホストコンピュータやサーバ等の情報処理装置が本実施形態の印刷制御装置として動作することで、本実施形態の処理が実行される場合であってもよい。
【０１４９】
具体的には、ホストコンピュータやサーバ、スマートデバイスが印刷装置１００に印刷ジョブを送信するときに、図５におけるＳ１００１〜Ｓ１００７の処理を実行する。即ち、これらの装置が印刷装置１００に印刷ジョブを送信するときに、印刷装置１００の用紙センサ１１８により検出された印刷用紙の用紙幅の情報を取得する。そして、その取得された情報が示す用紙幅に応じて印刷用紙のサイズの候補を特定し、特定された候補と設定用紙サイズによりレイアウト領域を決定する。そして、ホストコンピュータやサーバ、スマートデバイスが備えるメモリ上において、レイアウト領域に対して印刷対象の画像を展開し、展開された画像を印刷装置１００に印刷ジョブとして送信し、印刷装置１００に印刷を実行させる。具体的には、印刷装置１００のＣＰＵ２０１の制御により、ホストコンピュータやサーバ、スマートデバイスから受信した画像を印刷装置１００内の印刷機構が印刷用紙に印刷する。
【０１５０】
なお上記の構成において、図６のＳ１２０６、Ｓ１２０７で印刷のキャンセルを行う場合、ホストコンピュータやサーバ、スマートデバイスにおいてエラーを発行する。具体的には、印刷がキャンセルされたことを示す表示や、また印刷装置１００にセットされている印刷用紙のサイズと設定用紙サイズの両方または一方をユーザに確認させるための表示を行う。ホストコンピュータにおいてエラーを表示する場合、ホストコンピュータが備える表示装置、またはホストコンピュータに接続されている外部の表示装置に表示を行う。またサーバにおいてエラー表示を行う場合、サーバに対して印刷ジョブを送信したクライアント装置にエラー表示の内容を通知し、クライアント装置の内部または外部の表示装置にエラー表示が行われる。
【０１５１】
またホストコンピュータやサーバ、スマートデバイスにおいて本実施形態の処理を行う場合の別の例として、図６において、Ｓ１２０４における印刷データの変倍以外の処理（Ｓ１２００〜Ｓ１２０３、Ｓ１２０５〜Ｓ１２０７）を上記装置で行ってもよい。この場合、Ｓ１２０４における印刷対象の画像の変倍については、印刷装置１００のＣＰＵ２０１により実行される。印刷装置１００と、ホストコンピュータ、サーバ、スマートデバイス等の装置とにおける処理の分担については、他にも種々の構成を本実施形態に適用することができる。
【０１５２】
また以上の実施形態では、印刷装置により画像が印刷される印刷媒体の例として印刷用紙を例に説明したが、これに限らず、ＯＨＰシートであってもよい。また印刷用紙のような矩形の印刷媒体に限らず、ＣＤやＤＶＤ等の円盤状の記録メディアであってもよい。
【０１５３】
なお、本実施形態の機能は以下の構成によっても実現することができる。つまり、本実施形態の処理を行うためのプログラムコードをシステムあるいは装置に供給し、そのシステムあるいは装置のコンピュータ（またはＣＰＵやＭＰＵ）がプログラムコードを実行することによっても達成される。この場合、記憶媒体から読み出されたプログラムコード自体が上述した実施形態の機能を実現することとなり、またそのプログラムコードを記憶した記憶媒体も本実施形態の機能を実現することになる。
【０１５４】
また、本実施形態の機能を実現するためのプログラムコードを、１つのコンピュータ（ＣＰＵ、ＭＰＵ）で実行する場合であってもよいし、複数のコンピュータが協働することによって実行する場合であってもよい。さらに、プログラムコードをコンピュータが実行する場合であってもよいし、プログラムコードの機能を実現するための回路等のハードウェアを設けてもよい。またはプログラムコードの一部をハードウェアで実現し、残りの部分をコンピュータが実行する場合であってもよい。
【符号の説明】
【０１５５】
１００  印刷装置
２０１  ＣＰＵ
２０３  プログラムメモリ
２０４  データメモリ
【図１】
2015009483.tif 000003
【図２】
2015009483.tif 000004
【図３】
2015009483.tif 000005
【図４】
2015009483.tif 000006
【図５】
2015009483.tif 000007
【図６】
2015009483.tif 000008
【図７】
2015009483.tif 000009
【図８】
2015009483.tif 000010